(57)【要約】【課題】電気集塵装置の集塵部においては、極板の間隔を保持するために、スペーサーを入れてシャフトを通したものが一般的だが、極板枚数が増えると使用するスペーサーの数が多くるため部品点数や材料費が増えるだけでなく作業工数や質量も増え、極板の間隔が不均一になることで集塵性能が低下してしまうという課題があった。【解決手段】集塵部３の両側のフレーム４の間に集塵接地極板１４を等間隔に配置した集塵接地極板群１７と、集塵極板１３の端部片側のみを集塵極板保持枠７に等間隔に配置した集塵極板群１６を設け、集塵極板１３を集塵接地極板１４の間に交互に並ぶように集塵極板群挿入口５２より挿入し、挿入した後に反対側から集塵極板群１６のもう片方を固定する構成とすることにより、集塵極板群１６と集塵接地極板群１７が分離でき、分離した状態で極板の交換修理ができるため、修理作業性が向上する。【選択図】図１７
2010069348.tif 000002
【特許請求の範囲】
【請求項１】
コロナ放電を発生させて空気中の浮遊物に帯電させるイオン化部と、集塵極板と集塵接地極板を交互に配し、集塵極板に高電圧を印加することで浮遊物を集塵接地極板に吸着捕集させる集塵部からなる電気集塵装置において、前記集塵部の両側にフレームを設け、このフレームの間に集塵接地極板を等間隔に配置し電気的にも機械的にも接続された集塵接地極板群と、集塵極板の端部片側のみを集塵極板保持枠に等間隔に羅列固定し電気的にも機械的にも接続された集塵極板群を設け、前記集塵極板と前記集塵接地極板とが交互に並ぶように前記集塵極板群を前記集塵接地極板群に挿入し、挿入した後に反対側から集塵極板群のもう片方を固定する構成としたことを特徴とした電気集塵装置。
【請求項２】
集塵極板群は風上側から挿入することを特徴とした請求項１記載の電気集塵装置。
【請求項３】
集塵部両側に設けたフレーム同士をフレーム固定バーＡにより連結し、このフレーム固定バーＡに集塵接地極板を等間隔に固定したことを特徴とした請求項１または請求項２記載の電気集塵装置。
【請求項４】
集塵接地極板、および集塵極板は、複数の固定部を有することを特徴とした請求項３記載の電気集塵装置。
【請求項５】
集塵接地極板、および集塵極板に設けた固定部は、極板固定穴であって、その１箇所のみ丸穴とし、他の穴を縦方向に長穴としたことを特徴とした請求項４記載の電気集塵装置。
【請求項６】
集塵接地極板、および集塵極板に設けた固定部は、リベット固定としたことを特徴とした請求項４または５に記載の電気集塵装置。
【請求項７】
集塵接地極板および集塵極板の固定部の先端をＬ字に折り曲げたことを特徴とした請求項４〜６いずれかに記載の電気集塵装置。
【請求項８】
Ｌ字に折り曲げた固定部の折曲げ角部をＲ形状としたことを特徴とした請求項７記載の電気集塵装置。
【請求項９】
固定部先端をＣまたはＲ形状の面取りをしたことを特徴とした請求項７または８記載の電気集塵装置。
【請求項１０】
集塵接地極板および集塵極板の端部の一部に窪み部を設け、この窪み部に固定部を設けたことを特徴とした請求項４〜９いずれかに記載の電気集塵装置。
【請求項１１】
集塵極板および集塵接地極板の窪み部に水平な端部のないことを特徴とした請求項１〜１０いずれかに記載の電気集塵装置。
【請求項１２】
集塵極板の固定部を集塵極板の端部より突出させたことを特徴とした請求項４〜１１いずれかに記載の電気集塵装置。
【請求項１３】
集塵極板群挿入口の上下にフレーム固定バーＢを設け、集塵接地極板の上下端部を固定したことを特徴とした請求項１〜１２記載の電気集塵装置。
【請求項１４】
碍子フランジ部を設けた絶縁碍子を、フレーム面に垂直に固定したことを特徴とした請求項１〜１３いずれかに記載の電気集塵装置。
【請求項１５】
高電圧印加側である集塵極板群の主材料をステンレス材をとし、それ以外を、アルミ材を主材料としたことを特徴とした請求項１〜１４いずれかに記載の電気集塵装置。
【請求項１６】
集塵部を風上側から見て縦に複数分割したことを特徴とした請求項１記載〜１５いずれかに記載の電気集塵装置。
【請求項１７】
集塵部双方が隣り合う側に、給電縦バーと集塵極板保持枠を渡す給電板補助板を双方に向かい合わせた状態で設け、本体からの給電側に近い方の給電板補助板に給電補助バネを備えたことを特徴とした請求項１６記載の電気集塵装置。
【請求項１８】
給電補助板を集塵部の下方に設けたことを特徴とした請求項１６または１７記載の電気集塵装置。
【請求項１９】
集塵極板群を集塵接地極板群に挿入した後、この反対側から櫛状の極板スリットを有した集塵極板保持バーを集塵極板の端部に差し込み、また挿入側から集塵接地極板の端部に櫛状の極板スリットを有した集塵接地極板保持バーを差し込むことで集塵極板および集塵接地極板を保持することを特徴とした請求項１〜請求項１８記載の電気集塵装置。
【請求項２０】
集塵極板の固定部以外を電気絶縁性のあるラミネートフィルムで覆ったことを特徴とした請求項１記載〜請求項１９いずれかに記載の電気集塵装置。
【請求項２１】
集塵極板保持バーを挿入する集塵極板保持バーの固定部を突出させたことを特徴とした請求項２０記載の電気集塵装置。
【請求項２２】
集塵極板保持バーを挿入する集塵極板の固定部の先端を、挿入後集塵極板保持バーを上下で挟むように突出部を設けたことを特徴とした請求項１９〜２１記載の電気集塵装置。
【請求項２３】
集塵極板保持バーあるいは集塵接地極板保持バーの極板端部に挿入する面にパッキンを設けたことを特徴とした請求項１９〜２２いずれかに記載の電気集塵装置。
【請求項２４】
集塵極板保持バーあるいは集塵接地極板保持バーをほぼコの字形状とし、この向き合う両面に相対する位置に極板スリットを設けたことを特徴とした請求項１９〜２３いずれかに記載の電気集塵装置。
【請求項２５】
集塵極板保持バーあるいは集塵接地極板保持バーの相対する極板スリットの位置をずらして設け、この片側の極板スリットは内面片側に極板を当てた位置を正位置とし、対面する側の極板スリットは極板の反対側の面が内面片側に当たる位置を正位置としたことを特徴とした請求項２４記載の電気集塵装置。
【請求項２６】
コの字形状の集塵極板保持バーあるいは集塵接地極板保持バーの中にパッキンを嵌め込んだことを特徴とした請求項２４または２５記載の電気集塵装置。
【請求項２７】
集塵接地極板群に集塵極板群を挿入後、フレームの切欠き部を補強板により補強したことを特徴とした請求項１〜２６いずれかに記載の電気集塵装置。
【請求項２８】
フレームの切欠き部周囲に設けた爪挿入部に、補強板の端部に設けた鍵状の爪部を挿入し、この鍵状の爪部をフレームの板厚に嵌め込んで補強板の片側を固定し、補強板の他端をネジなどの補強板固定手段で固定することを特徴とした請求項２７記載の電気集塵装置。
【請求項２９】
集塵極板群の高電圧印加側と集塵接地極板群の接地側の間に放電抵抗器を設けたことを特徴とした請求項１記載〜２８いずれかに記載の電気集塵装置。
【請求項３０】
放電抵抗器を絶縁碍子周辺に設け、抵抗器リード線を、絶縁碍子上を這わせたのちに高電圧印加側に接続したことを特徴とした請求項２９記載の電気集塵装置。
【請求項３１】
放電抵抗器に抵抗器リード線を接続し、放電抵抗器とこの抵抗器リード線接続部を共に抵抗ケースに入れて抵抗器リード線だけを外に出した状態でモールドしたことを特徴とした請求項２９または３０記載の電気集塵装置。
【請求項３２】
放電抵抗ユニットの抵抗器リード線出口を下向きまたは横向きとしたことを特徴とした請求項２９〜３１記載の電気集塵装置。
【発明の詳細な説明】
【技術分野】
【０００１】
本発明は、空気中の浮遊粒子である塵埃などを捕集する電気集塵装置に関するものである。
【背景技術】
【０００２】
現在、家庭用や業務用では空気清浄機や分煙機器、産業用ではトンネル換気用集塵装置やオイルミスト除去装置として、大気中の浮遊物（粉塵やオイルミスト・煙など）に電荷を与えることで、居室内やトンネル内・工場内で発生する大気中の浮遊物（粉塵やオイルミスト・煙など）を捕集する電気集塵装置が採用されている。
【０００３】
そして、かかる用途の電気集塵装置の集塵部においては、集塵接地極板や集塵極板の間隔を保持するために、間にスペーサーを入れたものが多かった。しかしこの場合、スペーサー落下防止のため中央部に貫通シャフトに通しているため、集塵極板あるいは集塵接地極板が損傷した際、場所によっては大部分をバラさないと極板の交換修理ができず、時間を掛けて修理するか集塵部丸ごと交換しなければならないという課題があった。このような状況の中で、板状のスペーサーを集塵極板に設けたスペーサー挿入孔を介して取り付けることで取り外しを容易にしたことを特徴とした電気集塵装置が開示されている。
【特許文献１】実開昭６１−１９４５１号公報
【特許文献２】実開平２−２００５０号公報
【発明の開示】
【発明が解決しようとする課題】
【０００４】
電気集塵装置の集塵部においては、集塵接地極板や集塵放電極板の間隔を保持するために、間にスペーサーを入れてシャフトを通したものが一般的だが、極板枚数が増えると使用するスペーサーの数が多くなってしまうため部品点数や材料費が増えるだけでなく作業工数や質量も増えるという課題や、メンテナンスで極板を交換する際、貫通シャフトを抜くしかなく、貫通シャフトを抜くとバラバラになってしまい、極板の交換などの補修に多くの補修費用や工数が掛かるという課題があった。
【０００５】
また、極板枚数が多くなると、極板間隔を決めるスペーサーの長さ寸法誤差の積み重ねにより集塵部外形寸法がばらついたり、集塵接地極板と集塵極板の間隔が不均一になることで集塵性能が低下してしまうという課題もあった。
【０００６】
そこで本発明は、集塵接地極板間のスペーサーを無くして質量や材料費・作業工数を減らしてメンテナンスや組立て作業性を改善するだけでなく、スペーサーの長さ寸法誤差の積み重ねにより集塵部外形寸法がばらついたり、集塵接地極板と集塵極板の間隔が不均一による集塵性能が低下のない電気集塵装置を提供することを目的とする。
【課題を解決するための手段】
【０００７】
前記課題を解決するために本発明は、コロナ放電を発生させて空気中の浮遊物に帯電させるイオン化部と、集塵極板と集塵接地極板を交互に配し、集塵極板に高電圧を印加することで浮遊物を集塵接地極板に吸着捕集させる集塵部からなる電気集塵装置において、前記集塵部の両側にフレームを設け、このフレームの間に集塵接地極板を等間隔に配置し電気的にも機械的にも接続された集塵接地極板群と、集塵極板の端部片側のみを集塵極板保持枠に等間隔に羅列固定し電気的にも機械的にも接続された集塵極板群を設け、前記集塵極板と前記集塵接地極板とが交互に並ぶように前記集塵極板群を前記集塵接地極板群に挿入し、挿入した後に反対側から集塵極板群のもう片方を固定する構造としたことを特徴とするものである。
【０００８】
この手段により、集塵極板群と集塵接地極板群が分離でき、分離した状態で極板の交換修理ができるため、修理作業性が向上する。また、集塵極板群・集塵接地極板群の片方を全て交換したとしても、交換費用は半分で済むため経済的である。さらに、集塵接地極板間のスペーサーを無くすることで、質量や材料費・作業工数を減らすだけでなく、スペーサーの長さ寸法誤差の積み重ねによる集塵部外形寸法のばらつきをなくし、集塵接地極板と集塵極板の間隔を均一にできるため、集塵性能ばらつきの少ない電気集塵装置が得られる。
【０００９】
また、他の手段は、集塵極板群は風上側から挿入することを特徴とするものである。
【００１０】
この手段により、風により集塵極板群が集塵部に押し込まれる方向に力が働くため、集塵極板群の固定が弱く最悪の場合でも外れることのない電気集塵装置が得られる。
【００１１】
また、他の手段は、集塵部両側に設けたフレーム同士をフレーム固定バーＡにより連結し、このフレーム固定バーＡに集塵接地極板を等間隔に固定したことを特徴とするものである。
【００１２】
この手段により、フレーム固定バーＡに直接固定することで、部品寸法の積み重ねによる誤差が無くなるため、集塵極板との間隔を均等にできるだけでなく集塵部の外形寸法も均一な電気集塵装置が得られる。
【００１３】
また、他の手段は、集塵接地極板、および集塵極板は、複数の固定部を有することを特徴とするものである。
【００１４】
この手段により、集塵接地極板とフレーム固定バーＡ、あるいは集塵極板と集塵極板保持枠の固定を複数箇所とすることで、集塵接地極板や集塵極板の端までしっかりと固定できるため、集塵接地極板や集塵極板のどの面においても極板間隔を維持することのできる電気集塵装置が得られる。
【００１５】
また、他の手段は、集塵接地極板、および集塵極板に設けた固定部は、極板固定穴であって、その１箇所のみ丸穴とし、他の穴を縦方向に長穴としたことを特徴とするものである。
【００１６】
この手段により、極板側の極板固定穴を１箇所のみ丸穴、他の穴を縦方向に長穴とし、丸穴を先に固定した後に長穴を固定することで、部品の寸法公差ばらつきの穴ズレを吸収できるため組立て性の良い電気集塵装置が得られる。
【００１７】
また、他の手段は、集塵接地極板、および集塵極板に設けた固定部は、リベット固定としたことを特徴とするものである。
【００１８】
この手段により、リベットの場合、集塵極板や集塵接地極板に回転する力が働ないため、固定時に極板の歪みの少ない電気集塵装置が得られる。
【００１９】
また、他の手段は、集塵接地極板や集塵極板の固定部の先端をＬ字に折り曲げたことを特徴とするものである。
【００２０】
この手段により、集塵接地極板や集塵極板の固定を、風上側あるいは風下側正面からできるため、固定の作業性が良いだけでなく固定状態の確認もやりやすい電気集塵装置が得られる。
【００２１】
また、他の手段は、Ｌ字に折り曲げた固定部の折曲げ角部をＲ形状としたことを特徴とするものである。
【００２２】
この手段により、長期間使用していても、風の極板振動による折曲げ角部の疲労破壊を防ぐことのできる電気集塵装置が得られる。
【００２３】
また、他の手段は、固定部の先端をＣまたはＲ形状の面取りをしたことを特徴とするものである。
【００２４】
この手段により、集塵極板群を集塵接地極板群に挿入する際、固定部の先端でお互いの極板表面を傷付けることのない電気集塵装置が得られる。
【００２５】
また、他の手段は、集塵接地極板や集塵極板の端部の一部に窪み部を設け、この窪み部に固定部を設けたことを特徴とするものである。
【００２６】
この手段により、極板の窪み部に固定部を設けることで極板面積のロスが窪み部の部分だけで済むため、集塵部を小型化した電気集塵装置が得られる。
【００２７】
また、他の手段は、集塵極板および集塵接地極板の窪み部に水平な端部のないことを特徴とするものである。
【００２８】
この手段により、集塵極板および集塵接地極板の窪み部の端部が傾斜しており、集塵ユニット洗浄後乾燥時に上から垂れてきた雫が極板端部の傾斜に添って流れ落ちるため、端部に雫として残ったり、下方の極板に再度水滴が掛かって集塵部の乾燥に時間を掛けることのない電気集塵装置が得られる。
【００２９】
また、他の手段は、集塵極板の固定部を集塵極板の端部より突出させたことを特徴とするものである。
【００３０】
この手段により、集塵極板の固定部を集塵極板端部より突出させることで、集塵極板の固定部と集塵接地極板の端部の距離を確保し、スパークを防ぐことのできる電気集塵装置が得られる。
【００３１】
また、他の手段は、集塵極板群挿入口の上下にフレーム固定バーＢを設け、集塵接地極板の上下端部を固定したことを特徴とするものである。
【００３２】
この手段により、集塵接地極板の端部片側の固定に加え、集塵極板群挿入口の上下端部を固定することで、集塵極板群挿入口の集塵接地極板間隔が均一に確保できるため、集塵極板群を集塵接地極板群に挿入しやすい電気集塵装置が得られる。
【００３３】
また、他の手段は、碍子フランジ部を設けた絶縁碍子を、フレーム面に垂直に固定したことを特徴とするものである。
【００３４】
この手段により、絶縁碍子のフレーム面への取り付けをフレーム面に対して垂直にできるため作業性が良く、また、絶縁碍子の取り付け面の高さで位置が決まるため、極板間隔を均一しやすい電気集塵装置が得られる。
【００３５】
また、他の手段は、高電圧印加側である集塵極板群の主材料をステンレス材をとし、それ以外を、アルミ材を主材料としたことを特徴とするものである。
【００３６】
この手段により、高電圧印加側である集塵極板群をステンレス材としても、絶縁碍子によって集塵接地極板群やフレームなどから完全に絶縁されるため、軽量化が図りながら強度を向上させることができ電腐で侵されることのない電気集塵装置が得られる。
【００３７】
また、他の手段は、集塵部を風上側から見て縦に複数分割したことを特徴とするものである。
【００３８】
この手段により、１個当たりの集塵部の大きさ・質量が小さくできるため、設置やメンテナンスの際の、集塵部の着脱・運搬がやりやすい電気集塵装置が得られる。
【００３９】
また、他の手段は、集塵部双方が隣り合う側に、給電縦バーと集塵極板保持枠を渡す給電板補助板を双方に向かい合わせた状態で設け、製品本体からの給電側に近い方の給電板補助板に給電補助バネを備えたことを特徴とするものである。
【００４０】
この手段により、集塵部を並べて設置するだけで確実な電気的接続ができるため、接続不良による集塵性能の低下を防ぐことのできる電気集塵装置が得られる。
【００４１】
また、他の手段は、給電補助板を集塵部の下方に設けたことを特徴とするものである。
【００４２】
この手段により、傾きによる変位の少ない位置に給電補助バネや電補助板を設けることで、確実な電気的接続ができるため、接続不良による集塵性能の低下を防ぐことのできる電気集塵装置が得られる。
【００４３】
また、他の手段は、集塵極板群を集塵接地極板群に挿入した後、この反対側から櫛状の極板スリットを有した集塵極板保持バーを集塵極板の端部に差し込み、また挿入側から集塵接地極板の端部に櫛状の極板スリットを有した集塵接地極板保持バーを差し込むことで集塵極板や集塵接地極板を保持することを特徴とするものである。
【００４４】
この手段により、極板の交換修理する際、ネジやリベットを外さなくても集塵極板保持バーや集塵接地極板保持バーを外すだけで集塵部から集塵極板群だけを分離することができるため、極板交換修理の作業性の良い電気集塵装置が得られる。
【００４５】
また、他の手段は、集塵極板の固定部以外を電気絶縁性のあるラミネートフィルムで覆ったことを特徴とするものである。
【００４６】
この手段により、集塵極板の表面のラミネートフィルムにより電気絶縁されることで極板間隔が狭められるため、高い集塵性能が得られスパークも無い電気集塵装置が得られる。
【００４７】
また、他の手段は、集塵極板保持バーを挿入する集塵極板保持バーの固定部を突出させたことを特徴とするものである。
【００４８】
この手段により、集塵極板保持バーを挿入する集塵極板保持バー固定部がラミネートしている部分から突出しているため、極板スリットでラミネートフィルムを傷付けたり剥がれることのない電気集塵装置が得られる。
【００４９】
また、他の手段は、集塵極板保持バーを挿入する集塵極板の固定部の先端を、挿入後集塵極板保持バーを上下で挟むように突出部を設けたことを特徴とするものである。
【００５０】
この手段により、集塵極板保持バーを集塵極板に挿入するだけで、集塵極板の極間や左右の保持を行なうだけでなく、突出部により上下の保持もできるため、集塵極板の位置決めのできる電気集塵装置が得られる。
【００５１】
また、他の手段は、集塵極板保持バーあるいは集塵接地極板保持バーの極板端部に挿入する面にパッキンを設けたことを特徴とするものである。
【００５２】
この手段により、集塵極板保持バーの極板スリットの幅を、集塵極板や集塵接地極板の厚さより大きくできるため、極板のガタツキが無くなり極板への挿入もしやすい電気集塵装置が得られる。
【００５３】
また、他の手段は、集塵極板保持バーあるいは集塵接地極板保持バーをほぼコの字形状とし、この向き合う両面に相対する位置に極板スリットを設けたことを特徴とするものである。
【００５４】
この手段により、１本の集塵極板保持バーで２箇所保持できるため、コストや部品点数・工数を少ない電気集塵装置が得られる。
【００５５】
また、他の手段は、集塵極板保持バーあるいは集塵接地極板保持バーの相対する極板スリットの位置をずらして設け、この片側の極板スリットは内面片側に極板を当てた位置を正位置とし、対面する側の極板スリットは極板の反対側の面が内面片側に当たる位置を正位置としたことを特徴とするものである。
【００５６】
この手段により、集塵極板保持バーの一つ一つの極板スリット幅が大きく取れるため、安く丈夫な金型で加工できる電気集塵装置が得られる。
【００５７】
また、他の手段は、コの字形状の集塵極板保持バーあるいは集塵接地極板保持バーの中にパッキンを嵌め込んだことを特徴とするものである。
【００５８】
この手段により、パッキンの固定に粘着剤や接着剤による貼り付けやバンド、ネジなど必要なく、コの字型の集塵極板保持バーあるいは集塵接地極板保持バーの間にパッキンを嵌め込むだけで保持できるためパッキン固定の信頼性が高い電気集塵装置が得られる。
【００５９】
また、他の手段は、集塵接地極板群に集塵極板群を挿入後、フレームの切欠き部を補強板により補強したことを特徴とするものである。
【００６０】
この手段により、補強板でフレームの切欠き部を補強するため、集塵部自身が外力に強い電気集塵装置が得られる。
【００６１】
また、他の手段は、フレームの切欠き部周囲に設けた爪挿入部に、補強板の端部に設けた鍵状の爪部を挿入し、この鍵状の爪部をフレームの板厚に嵌め込んで補強板の片側を固定し、補強板の他端をネジなどの補強板固定手段で固定することを特徴とするものである。
【００６２】
この手段により、補強板の固定箇所が少なくできるため、部品点数や工数を少なくでき、ネジ先端や頭の飛び出し箇所を少なくできるため、絶縁空間距離を最小限にできコンパクト化が図れる。また、帯電部などと合体させたときネジ先端やネジ頭の飛び出しがないため密着でき、空気のショートカットによる集塵効率の低下を抑えることのできる電気集塵装置が得られる。
【００６３】
また、他の手段は、集塵極板群の高電圧印加側と集塵接地極板群の接地側の間に放電抵抗器を設けたことを特徴とするものである。
【００６４】
この手段により、蓄積された電荷を放電抵抗器によって放電させるため、触っても感電することのない電気集塵装置が得られる。
【００６５】
また、他の手段は、放電抵抗器を絶縁碍子周辺に設け、抵抗器リード線を、絶縁碍子上を這わせたのちに高電圧印加側に接続したことを特徴とするものである。
【００６６】
この手段により、絶縁碍子上を、抵抗器リード線を這わせることで沿面距離を稼ぐことができるため、沿面放電しにくい電気集塵装置が得られる。
【００６７】
また、他の手段は、放電抵抗器に抵抗器リード線を接続し、放電抵抗器とこの抵抗器リード線接続部を共に抵抗ケースに入れて抵抗器リード線だけを外に出した状態でモールドしたことを特徴とするものである。
【００６８】
この手段により、放電抵抗器と抵抗器リード線の接続部を共に抵抗ケースに入れた状態でモールドするため、抵抗器リード線表面を含めた十分な沿面距離を確保することのできる電気集塵装置が得られる。
【００６９】
また、他の手段は、放電抵抗ユニットの抵抗器リード線出口を下向きまたは横向きとしたことを特徴とするものである。
【００７０】
この手段により、放電抵抗ユニットの抵抗器リード線出口を下向きまたは横向きとすることで、抵抗器リード線出口側のモールド面に油や埃・水や洗浄剤などが溜まりにくいためモールドと抵抗器リード線の間に隙間ができるなどの不具合が発生した場合でも沿面放電しにくい電気集塵装置が得られる。
【発明の効果】
【００７１】
本発明の電気集塵装置によれば、コロナ放電を発生させて空気中の浮遊物に帯電させるイオン化部と、集塵極板と集塵接地極板を交互に配し、集塵極板に高電圧を印加することで浮遊物を集塵接地極板に吸着捕集させる集塵部からなる電気集塵装置において、この集塵部の両側にフレームを設け、このフレームの間に集塵接地極板を等間隔に配置し電気的にも機械的にも接続された集塵接地極板群と、集塵極板の端部片側のみを集塵極板保持枠に等間隔に羅列固定し電気的にも機械的にも接続された集塵極板群を設け、この集塵極板群の集塵極板を集塵接地極板群の集塵接地極板の間に交互に並ぶように集塵極板群挿入口より挿入し、挿入した後に反対側から集塵極板群のもう片方を固定する構成とすることにより、集塵極板群と集塵接地極板群が分離でき、分離した状態で極板の交換修理ができるため、修理作業性が向上する。また、集塵極板群・集塵接地極板群の片方を全て交換したとしても、交換費用は半分で済むため経済的である。さらに、集塵接地極板間のスペーサーを無くすることで、質量や材料費・作業工数を減らすだけでなく、スペーサーの長さ寸法誤差の積み重ねによる集塵部外形寸法のばらつきをなくし、集塵接地極板と集塵極板の間隔を均一にできるため、集塵性能ばらつきの少ない電気集塵装置を提供することができる。
【００７２】
また、集塵極板群を集塵接地極板群に挿入する際、集塵極板群挿入口側を風上側とした構成とすることにより、風によって集塵極板群が集塵部に押し込まれる方向に力が働くため、集塵極板群の固定が弱く最悪の場合でも外れることのない電気集塵装置を提供することができる。
【００７３】
また、両側のフレーム片側をフレーム固定バーＡにより連結し、このフレーム固定バーＡに集塵接地極板を等間隔に固定した構成とすることにより、フレーム固定バーＡに直接固定することで、部品寸法の積み重ねによる誤差が無くなるため、集塵極板との間隔を均等にできるだけでなく集塵部の外形寸法も均一な電気集塵装置を提供することができる。
【００７４】
また、集塵接地極板とフレーム固定バーＡ、あるいは集塵極板と保持枠横の固定を複数箇所とした構成とすることにより、集塵接地極板とフレーム固定バーＡ、あるいは集塵極板と集塵極板保持枠の固定を複数箇所とすることで、集塵接地極板や集塵極板の端までしっかりと固定できるため、集塵接地極板や集塵極板のどの面においても極板間隔を維持することのできる電気集塵装置を提供することができる。
【００７５】
また、集塵接地極板とフレーム固定バーＡ、あるいは集塵極板と保持枠横を固定する際の極板側の極板固定穴を１箇所のみ丸穴とし、他の穴を縦方向に長穴とした構成とすることにより、極板側の極板固定穴を１箇所のみ丸穴、他の穴を縦方向に長穴とし、丸穴を先に固定した後に長穴を固定することで、部品の寸法公差ばらつきの穴ズレを吸収できるため組立て性の良い電気集塵装置を提供することができる。
【００７６】
また、集塵接地極板とフレーム固定バーＡ、あるいは集塵極板と保持枠横の固定をリベット固定とした構成とすることにより、リベットの場合、集塵極板や集塵接地極板に回転する力が働ないため、固定時に極板の歪みの少ない電気集塵装置を提供することができる。
【００７７】
また、集塵接地極板や集塵極板の固定部の先端をＬ字に折り曲げた構成とすることにより、集塵接地極板や集塵極板の固定を、風上側あるいは風下側正面からできるため、固定の作業性が良いだけでなく固定状態の確認もやりやすい電気集塵装置を提供することができる。
【００７８】
また、Ｌ字に折り曲げた固定部の折曲げ角部をＲ形状とした構成とすることにより、長期間使用していても、風の極板振動による折曲げ角部の疲労破壊を防ぐことのできる電気集塵装置を提供することができる。
【００７９】
また、固定部先端をＣまたはＲ形状の面取りをした構成とすることにより、集塵極板群を集塵接地極板群に挿入する際、固定部の先端でお互いの極板表面を傷付けることのない電気集塵装置を提供することができる。
【００８０】
また、集塵接地極板や集塵極板の端部の一部に窪み部を設け、この窪み部に固定部を設けた構成とすることにより、極板の窪み部に固定部を設けることで極板面積のロスが窪み部の部分だけで済むため、集塵部を小型化した電気集塵装置を提供することができる。
【００８１】
また、集塵極板および集塵接地極板の窪み部に水平な端部のない構成とすることにより、集塵極板および集塵接地極板の窪み部の端部が傾斜しており、集塵ユニット洗浄後乾燥時に上から垂れてきた雫が極板端部の傾斜に添って流れ落ちるため、端部に雫として残ったり、下方の極板に再度水滴が掛かって集塵部の乾燥に時間を掛けることのない電気集塵装置を提供することができる。
【００８２】
また、集塵極板の固定部を集塵極板の端部より突出させた構成とすることにより、集塵極板の固定部を集塵極板端部より突出させることで、集塵極板の固定部と集塵接地極板の端部の距離を確保し、スパークを防ぐことのできる電気集塵装置を提供することができる。
【００８３】
また、集塵極板群挿入口の上下にフレーム固定バーＢを設け、集塵接地極板の上下端部を固定した構成とすることにより、集塵接地極板の端部片側の固定に加え、集塵極板群挿入口の上下端部を固定することで、集塵極板群挿入口の集塵接地極板間隔が均一に確保できるため、集塵極板群を集塵接地極板群に挿入しやすい電気集塵装置を提供することができる。
【００８４】
また、碍子フランジ部を設けた絶縁碍子を、フレーム面に垂直に固定した構成とすることにより、絶縁碍子のフレーム面への取り付けをフレーム面に対して垂直にできるため作業性が良く、また、絶縁碍子の取り付け面の高さで位置が決まるため、極板間隔を均一にしやすい電気集塵装置を提供することができる。
【００８５】
また、高電圧印加側である集塵極板群の主材料をステンレス材をとし、それ以外を、アルミ材を主材料とした構成とすることにより、高電圧印加側である集塵極板群をステンレス材としても、絶縁碍子によって集塵接地極板群やフレームなどから完全に絶縁されるため、軽量化が図りながら強度を向上させることができ電腐で侵されることのない電気集塵装置を提供することができる。
【００８６】
また、集塵部を風上側から見て縦に複数分割した構成とすることにより、１個当たりの集塵部の大きさ・質量が小さくできるため、設置やメンテナンスの際の、集塵部の着脱・運搬がやりやすい電気集塵装置を提供することができる。
【００８７】
また、集塵部双方が隣り合う側に、給電縦バーと集塵極板保持枠を渡す給電板補助板を双方に向かい合わせた状態で設け、製品本体からの給電側に近い方の給電板補助板に給電補助バネを備えた構成とすることにより、集塵部を並べて設置するだけで確実な電気的接続ができるため、接続不良による集塵性能の低下を防ぐことのできる電気集塵装置を提供することができる。
【００８８】
また、給電補助板を集塵部の下方に設けた構成とすることにより、傾きによる変位の少ない位置に給電補助バネや電補助板を設けることで、確実な電気的接続ができるため、接続不良による集塵性能の低下を防ぐことのできる電気集塵装置を提供することができる。
【００８９】
また、集塵極板群を集塵接地極板群に挿入した後、集塵極板群を集塵極板群挿入口から集塵接地極板群に挿入した後、この反対側から櫛状の極板スリットを有した集塵極板保持バーを集塵極板の端部に差し込み、また集塵極板群挿入口から集塵接地極板の端部に櫛状の極板スリットを有した集塵接地極板保持バーを差し込むことで集塵極板や集塵接地極板を保持する構成とすることにより、極板の交換修理する際、ネジやリベットを外さなくても集塵極板保持バーや集塵接地極板保持バーを外すだけで集塵部から集塵極板群だけを分離することができるため、極板交換修理の作業性の良い電気集塵装置を提供することができる。
【００９０】
また、集塵極板の固定部以外を電気絶縁性のあるラミネートフィルムで覆った構成とすることにより、集塵極板の表面のラミネートフィルムにより電気絶縁されることで極板間隔が狭められるため、高い集塵性能が得られスパークも無い電気集塵装置を提供することができる。
【００９１】
また、集塵極板保持バーを挿入する集塵極板保持バーの固定部を突出させた構成とすることにより、集塵極板保持バーを挿入する集塵極板保持バー固定部がラミネートしている部分から突出しているため、極板スリットでラミネートフィルムを傷付けたり剥がれることのない電気集塵装置を提供することができる。
【００９２】
また、集塵極板保持バーを挿入する集塵極板の固定部の先端を、挿入後集塵極板保持バーを上下で挟むように突出部を設けた構成とすることにより、集塵極板保持バーを集塵極板に挿入するだけで、集塵極板の極間や左右の保持を行なうだけでなく、突出部により上下の保持もできるため、集塵極板の位置決めのできる電気集塵装置を提供することができる。
【００９３】
また、集塵極板保持バーあるいは集塵接地極板保持バーの極板端部に挿入する面にパッキンを設けた構成とすることにより、集塵極板保持バーの極板スリットの幅を、集塵極板や集塵接地極板の厚さより大きくできるため、極板のガタツキが無くなり極板への挿入もしやすい電気集塵装置を提供することができる。
【００９４】
また、集塵極板保持バーあるいは集塵接地極板保持バーをほぼコの字形状とし、この向き合う両面に相対する位置に極板スリットを設けた構成とすることにより、１本の集塵極板保持バーで２箇所保持できるため、コストや部品点数・工数を少ない電気集塵装置を提供することができる。
【００９５】
また、集塵極板保持バーあるいは集塵接地極板保持バーの相対する極板スリットの位置をずらして設け、この片側の極板スリットは内面片側に極板を当てた位置を正位置とし、対面する側の極板スリットは極板の反対側の面が内面片側に当たる位置を正位置とした構成とすることにより、集塵極板保持バーの一つ一つの極板スリット幅が大きく取れるため、安く丈夫な金型で加工できる電気集塵装置を提供することができる。
【００９６】
また、コの字形状の集塵極板保持バーあるいは集塵接地極板保持バーの中にパッキンを嵌め込んだ構成とすることにより、パッキンの固定に粘着剤や接着剤による貼り付けやバンド、ネジなど必要なく、コの字型の集塵極板保持バーあるいは集塵接地極板保持バーの間にパッキンを嵌め込むだけで保持できるためパッキン固定の信頼性が高い電気集塵装置を提供することができる。
【００９７】
また、集塵接地極板群に集塵極板群を挿入後、フレームの切欠き部を補強板により補強した構成とすることにより、補強板でフレームの切欠き部を補強するため、集塵部自身が外力に強い電気集塵装置を提供することができる。
【００９８】
また、フレームの切欠き部周囲に設けた爪挿入部に、補強板の端部に設けた鍵状の爪部を挿入し、この鍵状の爪部をフレームの板厚に嵌め込んで補強板の片側を固定し、補強板の他端をネジなどの補強板固定手段で固定する構成とすることにより、補強板の固定箇所が少なくできるため、部品点数や工数を少なくでき、ネジ先端や頭の飛び出し箇所を少なくできるため、絶縁空間距離を最小限にできコンパクト化が図れる。また、帯電部などと合体させたときネジ先端やネジ頭の飛び出しがないため密着でき、空気のショートカットによる集塵効率の低下を抑えることのできる電気集塵装置を提供することができる。
【００９９】
また、集塵極板群の高電圧印加側と集塵接地極板群の接地側の間に放電抵抗器を設けた構成とすることにより、蓄積された電荷を放電抵抗器によって放電させるため、触っても感電することのない電気集塵装置を提供することができる。
【０１００】
また、放電抵抗器を絶縁碍子周辺に設け、抵抗器リード線を、絶縁碍子上を這わせたのちに高電圧印加側に接続した構成とすることにより、絶縁碍子上を、抵抗器リード線を這わせることで沿面距離を稼ぐことができるため、沿面放電しにくい電気集塵装置を提供することができる。
【０１０１】
また、放電抵抗器に抵抗器リード線を接続し、放電抵抗器とこの抵抗器リード線接続部を共に抵抗ケースに入れて抵抗器リード線だけを外に出した状態でモールドした構成とすることにより、放電抵抗器と抵抗器リード線の接続部を共に抵抗ケースに入れた状態でモールドするため、抵抗器リード線表面を含めた十分な沿面距離を確保することのできる電気集塵装置を提供することができる。
【０１０２】
また、放電抵抗ユニットの抵抗器リード線出口を下向きまたは横向きとした構成とすることにより、放電抵抗ユニットの抵抗器リード線出口を下向きまたは横向きとすることで、抵抗器リード線出口側のモールド面に油や埃・水や洗浄剤などが溜まりにくいためモールドと抵抗器リード線の間に隙間ができるなどの不具合が発生した場合でも沿面放電しにくい電気集塵装置を提供することができる。
【発明を実施するための最良の形態】
【０１０３】
請求項１記載の発明は、コロナ放電を発生させて空気中の浮遊物に帯電させるイオン化部と、集塵極板と集塵接地極板を交互に配し、集塵極板に高電圧を印加することで浮遊物を集塵接地極板に吸着捕集させる集塵部からなる電気集塵装置において、前記集塵部の両側にフレームを設け、このフレームの間に集塵接地極板を等間隔に配置し電気的にも機械的にも接続された集塵接地極板群と、集塵極板の端部片側のみを集塵極板保持枠に等間隔に羅列固定し電気的にも機械的にも接続された集塵極板群を設け、前記集塵極板と前記集塵接地極板とが交互に並ぶように前記集塵極板群を前記集塵接地極板群に挿入し、挿入した後に反対側から集塵極板群のもう片方を固定する構造とした電気集塵装置であって、集塵極板群と集塵接地極板群が分離でき、分離した状態で極板の交換修理ができるため、修理作業性が向上する。また、集塵極板群・集塵接地極板群の片方を全て交換したとしても、交換費用は半分で済むため経済的である。さらに、集塵接地極板間のスペーサーを無くすることで、質量や材料費・作業工数を減らすだけでなく、スペーサーの長さ寸法誤差の積み重ねによる集塵部外形寸法のばらつきをなくし、集塵接地極板と集塵極板の間隔を均一にできるため、集塵性能ばらつきを少なくできるという作用を有する。
【０１０４】
また、請求項２記載の発明は、集塵極板群は風上側から挿入する電気集塵装置であって、風により集塵極板群が集塵部に押し込まれる方向に力が働くため、集塵極板群の固定が弱く最悪の場合でも外れないという作用を有する。
【０１０５】
また、請求項３記載の発明は、集塵部両側に設けたフレーム同士をフレーム固定バーＡにより連結し、このフレーム固定バーＡに集塵接地極板を等間隔に固定した構成の電気集塵装置であって、フレーム固定バーＡに直接固定することで、部品寸法の積み重ねによる誤差が無くなるため、集塵極板との間隔を均等にできるだけでなく集塵部の外形寸法も均一にできるという作用を有する。
【０１０６】
また、請求項４記載の発明は、集塵接地極板、および集塵極板は、複数の固定部を有する電気集塵装置であって、集塵接地極板とフレーム固定バーＡ、あるいは集塵極板と集塵極板保持枠の固定を複数箇所とすることで、集塵接地極板や集塵極板の端までしっかりと固定できるため、集塵接地極板や集塵極板のどの面においても極板間隔を維持することができるという作用を有する。
【０１０７】
また、請求項５記載の発明は、集塵接地極板、および集塵極板に設けた固定部は、極板固定穴であって、その１箇所のみ丸穴とし、他の穴を縦方向に長穴とした構成の電気集塵装置であって、極板側の極板固定穴を１箇所のみ丸穴、他の穴を縦方向に長穴とし、丸穴を先に固定した後に長穴を固定することで、部品の寸法公差ばらつきの穴ズレを吸収できるという作用を有する。
【０１０８】
また、請求項６記載の発明は、集塵接地極板、および集塵極板に設けた固定部は、リベット固定とした構成の電気集塵装置であって、リベットの場合、集塵極板や集塵接地極板に回転する力が働ないため、固定時に極板の歪みが少なくなるという作用を有する。
【０１０９】
また、請求項７記載の発明は、集塵接地極板や集塵極板の固定部の先端をＬ字に折り曲げた構成とした電気集塵装置であって、集塵接地極板や集塵極板の固定を、風上側あるいは風下側正面からできるため、固定の作業性が良いだけでなく固定状態の確認もやりやすくなるという作用を有する。
【０１１０】
また、請求項８記載の発明は、Ｌ字に折り曲げた固定部の折曲げ角部をＲ形状とした構成の電気集塵装置であって、長期間使用していても、風の極板振動による折曲げ角部の疲労破壊を防ぐことができるという作用を有する。
【０１１１】
また、請求項９記載の発明は、固定部の先端をＣまたはＲ形状の面取りをした構成の電気集塵装置であって、集塵極板群を集塵接地極板群に挿入する際、固定部の先端でお互いの極板表面を傷付けないという作用を有する。
【０１１２】
また、請求項１０記載の発明は、集塵接地極板や集塵極板の端部の一部に窪み部を設け、この窪み部に固定部を設けた構成の電気集塵装置であって、極板の窪み部に固定部を設けることで極板面積のロスが窪み部の部分だけで済むため、集塵部を小型化できるという作用を有する。
【０１１３】
また、請求項１１記載の発明は、集塵極板および集塵接地極板の窪み部に水平な端部のない構成とした電気集塵装置であって、集塵極板および集塵接地極板の窪み部の端部が傾斜しており、集塵ユニット洗浄後乾燥時に上から垂れてきた雫が極板端部の傾斜に添って流れ落ちるため、端部に雫として残ったり、下方の極板に再度水滴が掛からないという作用を有する。
【０１１４】
また、請求項１２記載の発明は、集塵極板の固定部を集塵極板の端部より突出させた構成とした電気集塵装置であって、集塵極板の固定部を集塵極板端部より突出させることで、集塵極板の固定部と集塵接地極板の端部の距離を確保し、スパークを防ぐことができるという作用を有する。
【０１１５】
また、請求項１３記載の発明は、集塵極板群挿入口の上下にフレーム固定バーＢを設け、集塵接地極板の上下端部を固定した構成の電気集塵装置であって、集塵接地極板の端部片側の固定に加え、集塵極板群挿入口の上下端部を固定することで、集塵極板群挿入口の集塵接地極板間隔が均一に確保できるため、集塵極板群を集塵接地極板群に挿入しやすくできるという作用を有する。
【０１１６】
また、請求項１４記載の発明は、碍子フランジ部を設けた絶縁碍子を、フレーム面に垂直に固定した構成の電気集塵装置であって、絶縁碍子のフレーム面への取り付けをフレーム面に対して垂直にできるため作業性が良く、また、絶縁碍子の取り付け面の高さで位置が決まるため、極板間隔を均一にできるという作用を有する。
【０１１７】
また、請求項１５記載の発明は、高電圧印加側である集塵極板群の主材料をステンレス材をとし、それ以外を、アルミ材を主材料とした構成の電気集塵装置であって、高電圧印加側である集塵極板群をステンレス材としても、絶縁碍子によって集塵接地極板群やフレームなどから完全に絶縁されるため、軽量化が図りながら強度を向上させることができ、電腐でも侵されないという作用を有する。
【０１１８】
また、請求項１６記載の発明は、集塵部を風上側から見て縦に複数分割した構成の電気集塵装置であって、１個当たりの集塵部の大きさ・質量が小さくできるため、設置やメンテナンスの際の、集塵部の着脱・運搬がやりやすくなるという作用を有する。
【０１１９】
また、請求項１７記載の発明は、集塵部双方が隣り合う側に、給電縦バーと集塵極板保持枠を渡す給電板補助板を双方に向かい合わせた状態で設け、製品本体からの給電側に近い方の給電板補助板に給電補助バネを備えた構成とした電気集塵装置であって、集塵部を並べて設置するだけで確実な電気的接続ができるため、接続不良による集塵性能の低下を防ぐことができるという作用を有する。
【０１２０】
また、請求項１８記載の発明は、給電補助板を集塵部の下方に設けた構成とした電気集塵装置であって、傾きによる変位の少ない位置に給電補助バネや電補助板を設けることで、確実な電気的接続ができるため、接続不良による集塵性能の低下を防ぐことができるという作用を有する。
【０１２１】
また、請求項１９記載の発明は、集塵極板群を集塵接地極板群に挿入した後、この反対側から櫛状の極板スリットを有した集塵極板保持バーを集塵極板の端部に差し込み、また挿入側から集塵接地極板の端部に櫛状の極板スリットを有した集塵接地極板保持バーを差し込むことで集塵極板や集塵接地極板を保持する構成とした電気集塵装置であって、極板の交換修理する際、ネジやリベットを外さなくても集塵極板保持バーや集塵接地極板保持バーを外すだけで集塵部から集塵極板群だけを分離することができるため、極板交換修理の作業性の良くなるという作用を有する。
【０１２２】
また、請求項２０記載の発明は、集塵極板の固定部以外を電気絶縁性のあるラミネートフィルムで覆った構成とした電気集塵装置であって、集塵極板の表面のラミネートフィルムにより電気絶縁されることで極板間隔が狭められるため、高い集塵性能が得られスパークも無くなるという作用を有する。
【０１２３】
また、請求項２１記載の発明は、集塵極板保持バーを挿入する集塵極板保持バーの固定部を突出させた構成とした電気集塵装置であって、集塵極板保持バーを挿入する集塵極板保持バー固定部がラミネートしている部分から突出しているため、極板スリットでラミネートフィルムを傷付けたり剥がれることがないという作用を有する。
【０１２４】
また、請求項２２記載の発明は、集塵極板保持バーを挿入する集塵極板の固定部の先端を、挿入後集塵極板保持バーを上下で挟むように突出部を設けた構成とした電気集塵装置であって、集塵極板保持バーを集塵極板に挿入するだけで、集塵極板の極間や左右の保持を行なうだけでなく、突出部により上下の保持もできるため、集塵極板の位置決めができるという作用を有する。
【０１２５】
また、請求項２３記載の発明は、集塵極板保持バーあるいは集塵接地極板保持バーの極板端部に挿入する面にパッキンを設けた構成とした電気集塵装置であって、集塵極板保持バーの極板スリットの幅を、集塵極板や集塵接地極板の厚さより大きくできるため、極板のガタツキが無くなり極板への挿入もしやすくなるという作用を有する。
【０１２６】
また、請求項２４記載の発明は、集塵極板保持バーあるいは集塵接地極板保持バーをほぼコの字形状とし、この向き合う両面に相対する位置に極板スリットを設けた構成とした電気集塵装置であって、１本の集塵極板保持バーで２箇所保持できるため、コストや部品点数・工数を少なくできるという作用を有する。
【０１２７】
また、請求項２５記載の発明は、集塵極板保持バーあるいは集塵接地極板保持バーの相対する極板スリットの位置をずらして設け、この片側の極板スリットは内面片側に極板を当てた位置を正位置とし、対面する側の極板スリットは極板の反対側の面が内面片側に当たる位置を正位置とした構成の電気集塵装置であって、集塵極板保持バーの一つ一つの極板スリット幅が大きく取れるため、安く丈夫な金型で加工できるという作用を有する。
【０１２８】
また、請求項２６記載の発明は、コの字形状の集塵極板保持バーあるいは集塵接地極板保持バーの中にパッキンを嵌め込んだ構成とした電気集塵装置であって、パッキンの固定に粘着剤や接着剤による貼り付けやバンド、ネジなど必要なく、コの字型の集塵極板保持バーあるいは集塵接地極板保持バーの間にパッキンを嵌め込むだけで保持できるためパッキン固定の信頼性が高められるという作用を有する。
【０１２９】
また、請求項２７記載の発明は、集塵接地極板群に集塵極板群を挿入後、フレームの切欠き部を補強板により補強した構成の電気集塵装置であって、補強板でフレームの切欠き部を補強するため、集塵部自身が外力に強くできるという作用を有する。
【０１３０】
また、請求項２８記載の発明は、フレームの切欠き部周囲に設けた爪挿入部に、補強板の端部に設けた鍵状の爪部を挿入し、この鍵状の爪部をフレームの板厚に嵌め込んで補強板の片側を固定し、補強板の他端をネジなどの補強板固定手段で固定する構成とした電気集塵装置であって、補強板の固定箇所が少なくできるため、部品点数や工数を少なくでき、ネジ先端や頭の飛び出し箇所を少なくできるため、絶縁空間距離を最小限にできコンパクト化が図れる。また、帯電部などと合体させたときネジ先端やネジ頭の飛び出しがないため密着でき、空気のショートカットによる集塵効率の低下を抑えることができるという作用を有する。
【０１３１】
また、請求項２９記載の発明は、集塵極板群の高電圧印加側と集塵接地極板群の接地側の間に放電抵抗器を設けた構成とした電気集塵装置であって、蓄積された電荷を放電抵抗器によって放電させるため、触っても感電しなくなるという作用を有する。
【０１３２】
また、請求項３０記載の発明は、放電抵抗器を絶縁碍子周辺に設け、抵抗器リード線を、絶縁碍子上を這わせたのちに高電圧印加側に接続した構成とした電気集塵装置であって、絶縁碍子上を、抵抗器リード線を這わせることで沿面距離を稼ぐことができるため、沿面放電しにくくなるという作用を有する。
【０１３３】
また、請求項３１記載の発明は、放電抵抗器に抵抗器リード線を接続し、放電抵抗器とこの抵抗器リード線接続部を共に抵抗ケースに入れて抵抗器リード線だけを外に出した状態でモールドした構成とした電気集塵装置であって、放電抵抗器と抵抗器リード線の接続部を共に抵抗ケースに入れた状態でモールドするため、抵抗器リード線表面を含めた十分な沿面距離を確保することができるという作用を有する。
【０１３４】
また、請求項３２記載の発明は、放電抵抗ユニットの抵抗器リード線出口を下向きまたは横向きとした構成の電気集塵装置であって、放電抵抗ユニットの抵抗器リード線出口を下向きまたは横向きとすることで、抵抗器リード線出口側のモールド面に油や埃・水や洗浄剤などが溜まりにくいためモールドと抵抗器リード線の間に隙間ができるなどの不具合が発生した場合でも沿面放電しにくくなるという作用を有する。
【０１３５】
以下、本発明の実施の形態について図面を参照しながら説明する。
【０１３６】
（実施の形態１）
図１から図２５を用いて本実施の形態１による電気集塵装置について説明をおこなう。
【０１３７】
図１は本発明の実施の形態１による電気集塵装置の概略と風の流れを示した図、図２と同装置の集塵部の斜視図、図３は同装置の集塵部Ａの斜視図、図４は同装置の集塵部の集塵部Ａを示す斜視図、図５は同装置の集塵部の集塵部Ｂを示す斜視図、図６は同装置の集塵部の正面図、図７は同装置の集塵部で、集塵部Ａと集塵部Ｂの接続部を平面から見た部分詳細図、図８は同装置の集塵部の回路図、図９は同装置の集塵部の集塵極板群を示す斜視図、図１０は同装置の集塵部の集塵接地極板群を示す斜視図、図１１は同装置の集塵部の絶縁碍子を示す斜視図、図１２は同装置の集塵部の集塵接地極板を示す斜視図、図１３は同装置の集塵接地極板の固定部を示す部分詳細図、図１４は同装置の集塵極板の斜視図
図１５は同装置の集塵極板の固定部を示す部分詳細図、図１６は同装置の集塵極板のリベット固定状態を示す図、図１７は同装置の集塵部Ａまたは集塵部Ｂの分解斜視図、図１８は同装置の集塵部Ａまたは集塵部Ｂの分解斜視図（図１６の別方向）、図１９は同装置の集塵部Ａまたは集塵部Ｂの平面から見た分解図、図２０は同装置の集塵部の集塵接地極板保持バーへのパッキン挿入を示す図、図２１は同装置の集塵部の補強板取り付けを示す分解斜視図、図２２は同装置の集塵部の補強板取り付け手順を示す分解部分斜視図、図２３は同装置の放電抵抗ユニットの取り付け位置を示す上部斜視図、図２４は同装置の放電抵抗ユニットの取り付け位置を示す上部斜視図（図２３の別方向）、図２５は同装置の放電抵抗ユニットの横断面図である。
【０１３８】
電気集塵装置１は、処理する空気に対して上流側のイオン化部２と下流側の集塵部３で構成されている。
【０１３９】
また、集塵部３は集塵部Ａ３ａと集塵部Ｂ３ｂを左右に並べて構成しており、集塵部Ａ３ａ・集塵部Ｂ３ｂは、それぞれは大きく分けてステンレス材主体の集塵極板群１６とアルミニウム材主体の集塵接地極板群１７で構成されている。
【０１４０】
この集塵極板群１６は、風下側を集塵極板保持枠７の３本の保持枠横２３に表面をラミネートフィルム２９（例えばＰＰ・ＰＥＴ・フッ素樹脂など）で覆われた集塵極板１３を等間隔に固定して構成している。また、集塵接地極板群１７は両端にフレーム４を設け、フレーム固定バーＡ２１をこのフレーム４の風下側のフレーム４間に渡し、フレーム固定バーＢ２２はフレーム４の風上側の上部と下部のフレーム４間に渡し、このフレーム固定バーＡ２１とフレーム固定バーＢ２２に集塵接地極板１４を風方向と平行で等間隔に配して構成している。そして、集塵接地極板群１７の２本のフレーム固定バーＢ２２間に設けた集塵極板群挿入口５２から集塵極板群１６の集塵極板１３の風上側を差し込むことで集塵極板１３と集塵接地極板１４が交互に一定の間隔を保持して配する形となる。集塵部Ａ３ａと集塵部Ｂ３ｂそれぞれの左右両端のフレーム４には上下に各２個の絶縁碍子５が垂直に取り付けられている。これら絶縁碍子５は、碍子固定穴５１を有した碍子フランジ部４９に突出した２箇所のバー支持部５０を設けて構成し、このバー支持部５０に給電バー９が固定されている。
【０１４１】
また、フレーム４上下の絶縁碍子５に取り付けられた給電バー９を連結する形で、給電縦バー８が設けられている。さらに、集塵部Ａ３ａの風上側から見て左側には集塵極板保持枠７と給電縦バー８を渡す形で給電板６が設けられている。風上側から見て右側の下部には集塵極板保持枠７と給電縦バー８を渡す形で給電補助板１１が設けられ、この給電補助板１１には給電補助バネ１０を有し、集塵部Ｂ３ｂの風上側から見て右側には集塵極板保持枠７と給電縦バー８を渡す形で給電補助板１１が設けられている。集塵接地極板１４や集塵極板１３に、幅方向の一部を窪ませた窪み部２５を設け、この窪み部２５に、極板を固定するため極板端部から突出させ先端をＬ字型に折り曲げた固定部２４を集塵接地極板１４には６箇所、集塵極板１３には３箇所備え、これら固定部２４の折り曲げ面には極板固定穴２８が設けられている。また、集塵接地極板１４や集塵極板１３に設けた窪み部２５は、水平な端部がないように外に向かって開く形で窪んでいる。集塵極板１３・集塵接地極板１４の極板固定穴２８は、それぞれ１箇所のみ丸穴で他は縦方向に長穴になっており、リベット３２によって集塵接地極板１４はフレーム固定バーＡ２１、集塵極板１３は集塵極板保持枠７に固定されている。さらに、Ｌ字型に折り曲げた固定部２４の折曲げ角部２７はＲ形状に折り曲げられ、固定部２４の先端角部はＣまたはＲ形状に面取り２６されている。そして、フレーム４はアース１５に接続され、給電板６は高電圧発生装置１２に接続した構成となっている。
【０１４２】
上記構成により、イオン化部２を設けた側を風上側として、粉塵等を含んだ汚染空気を流入させるが、その動力としては電気集塵装置１の風下側に設けた送風機などにより吸引する方式をとると、送風機の汚れ等を考えると最も良い方法であると言える。そして高電圧発生装置１２に電気を供給すると、イオン化部２に直流−８ｋＶ、集塵部３に直流−８ｋＶの高電圧が印加され、イオン化部２では接地極との間でコロナ放電が発生することで汚染空気の粉塵等に電荷を与えて帯電させ、集塵部３内に流入する。
【０１４３】
集塵部３の集塵部Ａ３ａでは、給電板６に印加された高電圧は集塵極板保持枠７から保持枠横２３や給電縦バー８から集塵極板保持バー１９を通じて集塵極板１３に給電される。また、集塵部Ａ３ａの給電補助板１１に設けた給電補助バネ１０が集塵部Ｂ３ｂの給電補助板１１に接触することで高電圧が集塵部Ｂ３ｂにも印加され、集塵部Ａ３ａと同様に集塵極板保持枠７から保持枠横２３や給電縦バー８から集塵極板保持バー１９を通じて集塵極板１３に給電される。この時、給電補助板１１や給電補助バネ１０が集塵部Ａ３ａや集塵部Ｂ３ｂの下方にあるため、傾きによる変位の少ない位置に給電補助バネ１０や給電補助板１１を設けることで、確実な電気的接続ができ、接続不良による集塵性能の低下を防ぐことができる。
【０１４４】
一方、アース１５側は集塵部Ａ３ａ・集塵部Ｂ３ｂ共に集塵接地極板１４からフレーム固定バーＡ２１やフレーム固定バーＢ２２・集塵接地極板保持バー２０を通じてフレーム４に導通されてアース１５を介して接地される。そして、集塵極板１３と集塵接地極板１４の間を汚染空気が流れようとした場合、クーロン力によって粉塵等が集塵接地極板１４側に吸着捕集される。
【０１４５】
集塵部３は風上側から見て縦に二分割されているため、１個当たりの集塵部３の大きさ・質量がほぼ半分にでき、設置やメンテナンスの際の、集塵部３自身の着脱・運搬がやりやすくなる。
【０１４６】
また、高電圧印加側である集塵極板群１６は、主材料をステンレス材、それ以外（集塵接地極板群１７）をアルミ材を主材料としており、絶縁碍子５によって集塵接地極板群１７やフレーム４などから完全に絶縁されるため、軽量化を図りながら強度を向上させることができ電腐で侵されることはない。
【０１４７】
さらに、集塵接地極板群１７と集塵極板群１６は分離できる構成で、組立てる際は、集塵部Ａ３ａや集塵部Ｂ３ｂの集塵接地極板群１７に集塵極板群１６を集塵極板群挿入口５２から挿入すると、集塵接地極板１４と集塵極板１３が交互に配する。挿入後、集塵極板保持枠７を給電バー９に固定し、集塵極板群１６の保持枠横２３の反対側（挿入側）を集塵極板群挿入口５２の反対側からネジやリベットなどで固定すると極板が確実に保持できる。この時、集塵極板群挿入口５２側を風上側としたのは、風により集塵極板群１６が集塵部３に押し込まれる方向に力が働くため、集塵極板群１６の固定が弱くても集塵接地極板群１７と集塵極板群１６が分離しないためである。
【０１４８】
逆に分離する際は、この集塵極板１３を固定しているネジやリベットなどを外し、給電バー９から集塵極板保持枠７を外し、この集塵部Ａ３ａや集塵部Ｂ３ｂから集塵極板１３を抜き取ると集塵接地極板群１７と集塵極板群１６が分離できる。このように、集塵部３の組立て・分離が容易にできるため、極板の交換や修理の作業性が向上し、また、集塵極板群１６・集塵接地極板群１７の片方を全て交換したとしても、交換費用は半分で済むため経済的になる。さらに、集塵部３の横に渡された集塵接地極板１４は集塵極板保持バー１９、集塵極板１３は保持枠横２３に等間隔に固定されており、部品同士の公差の積み重ねによる誤差を最小限に抑えられる。これにより、集塵接地極板１４と集塵極板１３の極板間隔が均一にできるため、集塵性能を維持させることができる。
【０１４９】
集塵接地極板１４は、４本のフレーム固定バーＡ２１に各１箇所で計４箇所と集塵極板群挿入口５２上下のフレーム固定バーＢ２２に各１箇所で計２箇所固定することで、集塵極板群挿入口５２の集塵接地極板１４間隔が均一に確保でき、集塵極板群１６を集塵接地極板群１７に挿入しやすくなる。また、集塵極板１３は集塵極板保持枠７の３本の保持枠横２３に各１箇所で計３箇所固定しており、これにより集塵極板１３の端までしっかりと固定できるため、どの部分においても極板間隔を維持できる。そして、集塵接地極板群１７に集塵極板群１６を組み合わせた状態においても、絶縁碍子５はフレーム４面に垂直に固定しているため、両側のフレーム４に固定した絶縁碍子５のバー支持部５０頂部間の寸法が一定にでき、集塵接地極板１４と集塵極板１３の間隔を均一にすることができる。
【０１５０】
極板を固定する極板固定穴２８は、集塵接地極板１４とフレーム固定バーＡ２１、あるいは集塵極板１３と集塵極板保持枠７を固定する際の極板側の１箇所のみ丸穴とし、他の穴を縦方向に長穴とすることで部品の寸法公差バラつきの穴ズレを吸収する。また、これらの固定はリベット３２固定とすることで、固定時に集塵極板１３や集塵接地極板１４に回転する力が働ないため、位置が定まりやすくなる。集塵接地極板１４や集塵極板１３の固定部２４は、先端をＬ字に折り曲げた形状で、集塵接地極板１４や集塵極板１３の固定を、風上側あるいは風下側正面からできるため、固定の作業性が良いだけでなく固定状態の確認もやりやすくなる。また、Ｌ字に折り曲げた固定部２４の折曲げ角部２７をＲ形状となっているため、風の極板振動による力の角部への集中を無くし、力を分散させることで折曲げ角部２７の疲労破壊を防ぐ。さらに、固定部２４の先端をＣまたはＲ形状の面取り２６をしているため、集塵極板群１６を集塵接地極板群１７に挿入する際、固定部２４の先端でお互いの極板表面を傷付けることはない。また、集塵極板１３の固定部２４には、集塵極板１３の端部より突出させることで、集塵極板１３の固定部２４と集塵接地極板１４の端部（リベット３２の先端）の距離を確保し、スパークを防ぐこととなる。
【０１５１】
そして集塵接地極板１４や集塵極板１３の端部の一部には窪み部２５を設け、この窪み部２５に固定部２４を設けることで、極板の窪み部２５に固定部２４を設けることで極板面積のロスが窪み部２５の部分だけで済むため、集塵部３を小型化できる。また、この窪み部２５に水平な端部をなくすることで、集塵極板１３および集塵接地極板１４の窪み部２５の端部が傾斜しており、集塵部３洗浄後乾燥時に上から垂れてきた雫が極板端部の傾斜に添って流れ落ちるため、端部に雫として残ったり下方の極板に再度水滴が掛かり乾燥時間を長引かせることはない。
【０１５２】
また、集塵極板１３は、集塵極板保持バー１９を挿入する固定部２４を突出させ、この固定部２４の先端を集塵極板保持バー１９挿入後、集塵極板保持バー１９を上下で挟むように突出部３１を設け、固定部２４以外の表面はＰＰやＰＥＴなどの絶縁材料でできたラミネートフィルム２９で覆われている。この集塵極板１３は、重ね並べて集塵極板群１６を構成するが、集塵極板群１６を集塵接地極板群１７に挿入した後、反対側から櫛状の極板スリット４２を有した集塵極板保持バー１９を集塵極板１３の端部に差し込み、集塵極板群挿入口５２の集塵接地極板１４の端部を挿入側から櫛状の極板スリット４２を有した集塵接地極板保持バー２０を集塵接地極板１４の端部に差し込むことで集塵極板１３を保持する。また、この集塵極板保持バー１９はほぼコの字形状とし、この向き合う両面に相対する極板スリット４２を設け、この相対する極板スリット４２は位置をずらして設けてあり、この片側の極板スリット４２は内面片側に極板を当てた位置を正位置とし、対面する側の極板スリット４２は極板の反対側の面が内面片側に当たる位置を正位置としている。また、集塵極板保持バー１９はコの字形状とし、内側にパッキン４１を嵌め込んだ構成となっている。集塵接地極板保持バー２０についても同様の形状をしており、コの字形状とした集塵接地極板保持バー２０の内側にもパッキン４１が嵌め込んであり、集塵接地極板１４の端部に差し込むことで集塵接地極板１４を保持する構成となっている。
【０１５３】
上記構成により、集塵極板１３の固定部２４以外の表面はＰＰやＰＥＴなどの絶縁材料でできたラミネートフィルム２９で覆われ極板間隔が狭められるため、高い集塵性能が得られスパークも無くすることができる。また、集塵極板１３の集塵極板保持バー１９を挿入する集塵極板保持バー固定部３０が、ラミネートしている部分から突出しているため、集塵極板保持バー１９を集塵極板１３に挿入する際、集塵極板１３の極板スリット４２でラミネートフィルム２９を傷付けたり、剥がれることを防ぐことができる。さらに、この固定部２４の先端を集塵極板保持バー１９挿入後、集塵極板保持バー１９の突出部３１により、集塵極板１３の極間や左右の保持を行なうだけでなく、上下の保持もできるため、集塵極板１３の位置決めができる。
【０１５４】
集塵極板群１６を集塵接地極板群１７に挿入した後、反対側から櫛状の極板スリット４２を有した集塵極板保持バー１９を集塵極板１３の端部に差し込み、集塵極板群挿入口５２の集塵接地極板１４の端部を挿入側から櫛状の極板スリット４２を有した集塵接地極板保持バー２０を集塵接地極板１４の端部に差し込むことで集塵極板１３を保持できる。
【０１５５】
そして極板を交換修理する際は、ネジやリベットを外さなくても集塵極板保持バーや集塵接地極板保持バー２０を外すだけで集塵部３から集塵極板群１６だけを分離することができるため、極板交換修理の作業性が良くなる。
【０１５６】
また、この集塵極板保持バー１９はほぼコの字形状とし、この向き合う両面に相対する極板スリット４２を設け、この相対する極板スリット４２は位置をずらして設けてあり、この片側の極板スリット４２は内面片側に極板を当てた位置を正位置とし、対面する側の極板スリット４２は極板の反対側の面が内面片側に当たる位置を正位置とすることで、１本の集塵極板保持バー１９で２箇所保持できるため、コストや部品点数・工数を少なくでき、また集塵極板保持バー１９の極板スリット４２の幅を、集塵極板１３や集塵接地極板１４の厚さより大きくできるため、極板のガタツキが無くなり極板への挿入もしやすくなるだけでなく、安く丈夫で長寿命の金型で加工できる。
【０１５７】
また、集塵接地極板保持バー２０についても同様の形状をしており、コの字形状とした集塵接地極板保持バー２０の内側にもパッキン４１が嵌め込んであり、集塵接地極板１４の端部に差し込むことで集塵接地極板１４を保持するため、パッキン４１の固定に粘着剤や接着剤による貼り付けやバンド、ネジなど必要なく、パッキン４１固定の信頼性を高められることとなる。
【０１５８】
また、フレーム４の切欠き部３３周囲に設けた爪挿入部３４に、補強板１８の端部に設けた鍵状の爪部３５を挿入し、この鍵状の爪部３５をフレーム４の板厚部に嵌め込んで補強板１８の片側を固定し、補強板１８の他端をネジなどの補強板固定手段４０で固定することで、フレーム４の切欠き部３３を補強した構成となっている。
【０１５９】
上記構成により、フレーム４の切欠き部３３周囲に設けた爪挿入部３４に、補強板１８の端部に設けた鍵状の爪部３５を挿入し、この鍵状の爪部３５をフレーム４の板厚に嵌め込んで補強板１８の片側を固定し、補強板１８の他端をネジで固定することで、フレーム４の切欠き部３３を補強するため、集塵部３自身を外力に強くできる。これにより、補強板１８の固定箇所が少なくできるため、部品点数や工数を少なくできる。また、ネジ先端や頭の飛び出し箇所も少なくできるため、絶縁空間距離を最小限にできコンパクト化が図れ、さらにイオン化部２などと合体させたときネジ先端やネジ頭の飛び出しがないため密着でき、空気のショートカットによる集塵効率の低下を抑えることとなる。
【０１６０】
また、放電抵抗ユニット３６が絶縁碍子５周辺のフレーム４に取り付けられている。この放電抵抗ユニット３６は、放電抵抗器４５に抵抗器リード線３８を接続し、放電抵抗器４５とこの抵抗器リード線接続部４７を共に抵抗ケース４３に入れて抵抗器リード線３８だけを外に出した状態でモールド４４されている。この放電抵抗ユニット３６は、集塵極板群１６の高電圧印加側と集塵接地極板群１７の接地側の間に接続され、抵抗器リード線出口４８を横向きにした状態で固定されている。この時、高電圧印加側に接続される放電抵抗ユニット３６の抵抗器リード線３８は絶縁碍子５の碍子フランジ部４９上を這わせたのちに給電バー９に接続した構成となっている。
【０１６１】
上記構成により、放電抵抗ユニット３６は、放電抵抗器４５と抵抗器リード線接続部４７を共に抵抗ケース４３に入れ、抵抗器リード線３８だけを外に出した状態でモールド４４するため、抵抗器リード線３８表面を含めた十分な沿面距離を確保することができる。
【０１６２】
この放電抵抗ユニット３６は、集塵極板群１６の高電圧印加側と集塵接地極板群１７の接地側の間に設けているため、蓄積された電荷を放電抵抗器４５によって放電させ、触っても感電することはない。また、放電抵抗ユニット３６の抵抗器リード線出口４８を横向きとすることで、抵抗器リード線出口４８側のモールド４４面に油や埃・水や洗浄剤などが溜まりにくくなるため、モールド４４と抵抗器リード線３８の間に隙間ができるなどの不具合が発生した場合でも沿面放電しにくくなる。さらに、放電抵抗ユニット３６を絶縁碍子５周辺に設け、抵抗器リード線３８を絶縁碍子５の上を這わせたのちに高電圧印加側に接続しているため、沿面距離を稼ぐことができ、沿面放電しにくくすることとなる。
【産業上の利用可能性】
【０１６３】
本発明の電気集塵装置は、コロナ放電によって粉塵に電荷を与えて帯電させ、帯電した粉塵をクーロン力によって捕集する電気集塵装置に適用でき、特に家庭用や業務用では空気清浄機や分煙機器、産業用ではトンネル換気用集塵装置やオイルミスト除去装置などにおいても利用可能である。
【図面の簡単な説明】
【０１６４】
【図１】本発明の実施の形態１による電気集塵装置の概略と風の流れを示した図
【図２】同装置の集塵部の斜視図
【図３】同装置の集塵部Ａの斜視図
【図４】同装置の集塵部の集塵部Ａを示す斜視図
【図５】同装置の集塵部の集塵部Ｂを示す斜視図
【図６】同装置の集塵部の正面図
【図７】同装置の集塵部で、集塵部Ａと集塵部Ｂの接続部を平面から見た部分詳細図
【図８】同装置の集塵部の回路図
【図９】同装置の集塵部の集塵極板群を示す斜視図
【図１０】同装置の集塵部の集塵接地極板群を示す斜視図
【図１１】同装置の集塵部の絶縁碍子を示す斜視図
【図１２】同装置の集塵部の集塵接地極板を示す斜視図
【図１３】同装置の集塵接地極板の固定部を示す部分詳細図
【図１４】同装置の集塵極板の斜視図
【図１５】同装置の集塵極板の固定部を示す部分詳細図
【図１６】同装置の集塵極板のリベット固定状態を示す図
【図１７】同装置の集塵部Ａまたは集塵部Ｂの分解斜視図
【図１８】同装置の集塵部Ａまたは集塵部Ｂの分解斜視図（図１６の別方向）
【図１９】同装置の集塵部Ａまたは集塵部Ｂの平面から見た分解図
【図２０】同装置の集塵部の集塵接地極板保持バーへのパッキン挿入を示す図
【図２１】同装置の集塵部の補強板取り付けを示す分解斜視図
【図２２】同装置の集塵部の補強板取り付け手順を示す分解部分斜視図
【図２３】同装置の放電抵抗ユニットの取り付け位置を示す上部斜視図
【図２４】同装置の放電抵抗ユニットの取り付け位置を示す上部斜視図（図２３の別方向）
【図２５】同装置の放電抵抗ユニットの横断面図
【符号の説明】
【０１６５】
１    電気集塵装置
２    イオン化部
３    集塵部
４    フレーム
５    絶縁碍子
７    集塵極板保持枠
８    給電縦バー
１０  給電補助バネ
１１  給電補助板
１３  集塵極板
１４  集塵接地極板
１６  集塵極板群
１７  集塵接地極板群
１８  補強板
１９  集塵極板保持バー
２０  集塵接地極板保持バー
２１  フレーム固定バーＡ
２２  フレーム固定バーＢ
２４  固定部
２５  窪み部
２６  面取り
２７  折曲げ角部
２８  極板固定穴
２９  ラミネートフィルム
３２  リベット
３３  切欠き部
３４  爪挿入部
３５  爪部
３６  放電抵抗ユニット
３８  抵抗器リード線
４０  補強板固定手段
４１  パッキン
４２  極板スリット
４３  抵抗ケース
４４  モールド
４５  放電抵抗器
４７  抵抗器リード線接続部
４８  抵抗器リード線出口
４９  碍子フランジ部
５２  集塵極板群挿入口
【図１】
2010069348.tif 000003
【図２】
2010069348.tif 000004
【図３】
2010069348.tif 000005
【図４】
2010069348.tif 000006
【図５】
2010069348.tif 000007
【図６】
2010069348.tif 000008
【図７】
2010069348.tif 000009
【図８】
2010069348.tif 000010
【図９】
2010069348.tif 000011
【図１０】
2010069348.tif 000012
【図１１】
2010069348.tif 000013
【図１２】
2010069348.tif 000014
【図１３】
2010069348.tif 000015
【図１４】
2010069348.tif 000016
【図１５】
2010069348.tif 000017
【図１６】
2010069348.tif 000018
【図１７】
2010069348.tif 000019
【図１８】
2010069348.tif 000020
【図１９】
2010069348.tif 000021
【図２０】
2010069348.tif 000022
【図２１】
2010069348.tif 000023
【図２２】
2010069348.tif 000024
【図２３】
2010069348.tif 000025
【図２４】
2010069348.tif 000026
【図２５】
2010069348.tif 000027